(57)【特許請求の範囲】
【請求項１】
入射される光学信号を電気信号に変換する撮像素子と、
前記撮像素子から出力されるアナログ電気信号をサンプリングしてＲＡＷ画像データに変換するＡ／Ｄ変換器と、
前記Ａ／Ｄ変換器から出力されるＲＡＷ画像データに信号処理を施し、表示デバイスに表示させるための表示画像データを生成する第１の信号処理部と、
前記第１の信号処理部での遅延と同等の遅延調整行う遅延調整部と、
前記第１の信号処理部からの表示画像データを格納する第１のフレームメモリと、
前記遅延調整部からのＲＡＷ画像データを格納する第２のフレームメモリと、
前記第１の信号処理部で使用する信号処理パラメータを格納するための第３のメモリと、
表示画像データを表示デバイスに表示するための表示部と、
前記第２のフレームメモリに格納されたＲＡＷ画像データ及び前記第３のメモリに格納された信号処理パラメータを一対のデータとして記録する不揮発性メモリと、
前記不揮発性メモリから読み出されるＲＡＷ画像データを格納する第４のフレームメモリと、
前記不揮発性メモリより読み出され前記第３のメモリに格納された信号処理パラメータに従い前記第４のフレームメモリから読み出されるＲＡＷ画像データに信号処理を施して再生画像データを生成する第２の信号処理部と、
前記第２の信号処理部で生成された再生画像データを格納するための第５のフレームメモリと、
内部制御を行うマイコンと、
前記マイコンをユーザーにより操作するための外部操作手段と
を備え、前記遅延調整部により、前記第１のフレームメモリに格納される表示画像データと、前記第２のフレームメモリに格納されるＲＡＷ画像データにおける、撮像からの遅延時間を合致できるように調整し、後段での双方の処理を並列処理する構成とし、前記マイコンは、前記不揮発性メモリに記録されたＲＡＷ画像データと、当該ＲＡＷ画像データと一対にして記録された信号処理パラメータとを用いて再生画像を表示デバイスに表示する
ことを特徴とする撮像装置。
【請求項２】
請求項１に記載の撮像装置において、
前記マイコンは、前記不揮発性メモリより読み出されて前記第３のメモリに格納されるＲＡＷ画像データと一対になった信号処理パラメータを変更し、前記第２の信号処理部にて再生画像データを生成する際、当該変更されたパラメータを使用して信号処理する
ことを特徴とする撮像装置。
【請求項３】
請求項１または２に記載の撮像装置において、
前記第１のフレームメモリから出力される表示画像データと、前記第５のフレームメモリから出力される再生画像データとを切り替えるための表示画切替手段をさらに備え、
前記マイコンは、ユーザーからの指示により表示画切替手段を制御して表示画像データと再生画像データとの表示切り替えを行う
ことを特徴とする撮像装置。
【発明の詳細な説明】
【技術分野】
【０００１】
本発明は、撮像素子により撮像した画像データを、不揮発性メモリに記録して再生を行うことのできる撮像装置に関するものである。
【背景技術】
【０００２】
従来のデジタルカメラ等において、撮像した画像データを記録可能な撮像装置は、撮像された未加工データ（以下、ＲＡＷ画像データと称す）に、ホワイトバランス、画質等の信号処理を施してから不揮発性メモリ等に記録している。よって、既に不揮発性メモリ等に記録された画像データのホワイトバランスや画質等の調整を再度実施したい場合、画像データをＰＣ等で取り込んで加工しても画質低下を招く等ユーザーの満足する結果を得られなかった。
【０００３】
この改善策として、撮像したＲＡＷ画像データに信号処理を施す前に、一旦フレームメモリ（ＲＡＷ画像格納用メモリ）に格納し、当該フレームメモリから読み出したＲＡＷ画像データに、ホワイトバランス、画質等の信号処理を施した後、再度別のフレームメモリ（表示画像格納用メモリ）への書き込み及び読み出しを行い、表示部にて画像表示することで、ユーザーによるホワイトバランス、画質等の確認を行い、ユーザーに満足を得られた信号処理パラメータとＲＡＷ画像データを一対にして不揮発性メモリに記録することが可能な構成としているものがある（例えば、特許文献１参照）。
【先行技術文献】
【特許文献】
【０００４】
【特許文献１】特許第４１２６６４０号公報（請求項１、図１）
【発明の概要】
【発明が解決しようとする課題】
【０００５】
しかしながら、特許文献１に記載のように、ＲＡＷ画像データと信号処理パラメータを一対にして不揮発性メモリに記録可能な撮像装置では、撮像素子にて撮像されたＲＡＷ画像データを、一旦フレームメモリ（ＲＡＷ画像格納用メモリ）に格納し、当該フレームメモリから読み出したＲＡＷ画像データに信号処理を加えた後、再度別のフレームメモリ（表示画像格納用メモリ）に格納し、更に当該フレームメモリから読み出した信号処理された表示画像データを表示部に転送して表示デバイスに表示しているため、ＲＡＷ画像データを不揮発性メモリに記録する場合、２つのフレームメモリを別々のタイミングで処理しなければならず、複雑な制御信号を生成する必要があった。
【０００６】
本発明は上述した点に鑑みてなされたもので、ＲＡＷ画像データをフレームメモリに格納する動作と、ＲＡＷ画像データに信号処理を加えた表示画像データを別のフレームメモリに格納する動作との遅延時間が常に合致していて並列動作可能であるため、ＲＡＷ画像データを不揮発性メモリに記録する処理を行う場合でも、双方のフレームメモリでの処理を同一制御タイミングで行うことが可能であり、制御を単純化でき、かつ、不揮発性メモリヘの画像記録効率を向上させることができる撮像装置を得ることを目的とする。
【課題を解決するための手段】
【０００７】
本発明に係る撮像装置は、入射される光学信号を電気信号に変換する撮像素子と、前記撮像素子から出力されるアナログ電気信号をサンプリングしてＲＡＷ画像データに変換するＡ／Ｄ変換器と、前記Ａ／Ｄ変換器から出力されるＲＡＷ画像データに信号処理を施し、表示デバイスに表示させるための表示画像データを生成する第１の信号処理部と、前記第１の信号処理部での遅延と同等の遅延調整行う遅延調整部と、前記第１の信号処理部からの表示画像データを格納する第１のフレームメモリと、前記遅延調整部からのＲＡＷ画像データを格納する第２のフレームメモリと、前記第１の信号処理部で使用する信号処理パラメータを格納するための第３のメモリと、表示画像データを表示デバイスに表示するための表示部と、前記第２のフレームメモリに格納されたＲＡＷ画像データ及び前記第３のメモリに格納された信号処理パラメータを一対のデータとして記録する不揮発性メモリと、前記不揮発性メモリから読み出されるＲＡＷ画像データを格納する第４のフレームメモリと、前記不揮発性メモリより読み出され前記第３のメモリに格納された信号処理パラメータに従い前記第４のフレームメモリから読み出されるＲＡＷ画像データに信号処理を施して再生画像データを生成する第２の信号処理部と、前記第２の信号処理部で生成された再生画像データを格納するための第５のフレームメモリと、内部制御を行うマイコンと、前記マイコンをユーザーにより操作するための外部操作手段とを備え、前記遅延調整部により、前記第１のフレームメモリに格納される表示画像データと、前記第２のフレームメモリに格納されるＲＡＷ画像データにおける、撮像からの遅延時間を合致できるように調整し、後段での双方の処理を並列処理する構成とし、かつ前記マイコンは、前記不揮発性メモリに記録されたＲＡＷ画像データと、当該ＲＡＷ画像データと一対にして記録された信号処理パラメータとを用いて再生画像を表示デバイスに表示することを特徴とする。
【発明の効果】
【０００８】
本発明によれば、ＲＡＷ画像データをフレームメモリに格納する動作と、ＲＡＷ画像データに信号処理を加えた表示画像データを別のフレームメモリに格納する動作との遅延時間が常に合致していて並列動作可能なため、ＲＡＷ画像データを不揮発性メモリに記録する処理を行う場合でも、双方のフレームメモリでの処理を同一制御タイミングで行う事が可能となり、制御を単純化でき、また、不揮発性メモリに記録されたＲＡＷ画像データを再生画像として表示デバイス上に表示する場合、不揮発性メモリヘの画像記録を、容量の大きな表示画像データでなく、容量の小さなＲＡＷ画像データと、再生信号処理用パラメータだけにすることができ、不揮発性メモリヘの画像記録効率を向上させることができるという効果がある。
【図面の簡単な説明】
【０００９】
【図１】本発明の実施の形態１に係る撮像装置の構成を示すブロック図である。
【図２】再生画像表示を行う場合のフローチャートである。
【発明を実施するための形態】
【００１０】
実施の形態１．
図１は、本発明の実施の形態１に係る撮像装置の構成を示すブロック図である。図１に示す撮像装置は、入射した光量に応じてアナログ電気信号を出力するＣＣＤ、ＣＭＯＳ等の撮像素子１と、撮像素子１から入力されるアナログ電気信号をデジタルデータ（以下、ＲＡＷ画像データと称す）に変換するＡ／Ｄ変換器２と、Ａ／Ｄ変換器２からのＲＡＷ画像データに信号処理を施し、表示画像データを生成する第１の信号処理部３と、入力されるＲＡＷ画像データに、第１の信号処理部３の遅延と同等の遅延時間を調整付加する遅延調整部４と、第１の信号処理部３からの表示画像データを格納する第１のフレームメモリ（表示画像格納用メモリ）５と、遅延調整部４から出力されるＲＡＷ画像データを格納する第２のフレームメモリ（ＲＡＷ画像格納用メモリ）６と、第１の信号処理部３にてＲＡＷ画像データに信号処理を行うときに用いる信号処理パラメータを格納するための第３のメモリ（信号処理パラメータ格納用メモリ）７と、前段より入力される画像データをＬＣＤ等の表示デバイスに表示するための表示部８と、第２のフレームメモリ６に格納されたＲＡＷ画像データ及び第３のメモリ７に格納された信号処理パラメータを一対にして記録するための不揮発性メモリ９と、不揮発性メモリ９から読み出されたＲＡＷ画像再生データを格納する第４のフレームメモリ（ＲＡＷ画像再生用メモリ）１２と、第４のフレームメモリ（ＲＡＷ画像再生用メモリ）１２から読み出されるＲＡＷ画像再生データに信号処理を施し、再生画像データを生成する第２の信号処理部１３と、生成された再生画像データを格納する第５のフレームメモリ（再生画像格納用メモリ）１４と、第１のフレームメモリ５に格納された表示画像データと第５のフレームメモリ１４に格納された再生画像データを切り替えて表示部８へ出力するための表示画切替手段１５と、第１の信号処理部３及び第２の信号処理部１３の信号処理パラメータを設定、撮像タイミング、画像データの記録タイミング、及び画像再生タイミング等を生成する内部制御用マイコン１０と、ユーザーにより操作され、マイコン１０へ制御指示を行うための外部操作手段１１とを備える。
【００１１】
次に動作について説明する。撮像素子１により、入射される光量に応じてアナログ電気信号が生成され出力される。出力されたアナログ電気信号は、Ａ／Ｄ変換器２でサンプリングされてＲＡＷ画像データに変換される。変換されたＲＡＷ画像データは、後段の第１の信号処理部３及び遅延調整部４の両方に並列に入力される。第１の信号処理部３では、入力されたＲＡＷ画像データに信号処理が施されて表示用画像データに変換され、第１のフレームメモリ（表示画像格納用メモリ）５に格納される。第１のフレームメモリ５に格納された表示画像データは、再度読み出されて後段の表示画像切替手段１５で選択されて表示部８に送信され、ＬＣＤ等の表示デバイスにて表示される。
【００１２】
一方、遅延調整部４では、入力されるＲＡＷ画像データに第１の信号処理部３と同等の遅延を付加し、後段の第２のフレームメモリ（ＲＡＷ画像記録用メモリ）６に格納される。マイコン１０では、ユーザーによって操作される外部操作手段１１からの指示にて内部制御信号を生成し、第１の信号処理部３での信号処理パラメータ設定の実施及び信号処理パラメータ自体を第３のメモリ（信号処理パラメータ格納用メモリ）７に格納する。
【００１３】
さらに、外部操作手段１１からＲＡＷ画像データ記録指示を受けた場合は、第２のフレームメモリ６に格納されたＲＡＷ画像データ、及び第３のメモリ７に格納された信号処理パラメータを読み出して、双方を一対のデータとして不揮発性メモリ９への記録を実施する。
【００１４】
上述のように、ＲＡＷ画像データを第２のフレームメモリ（ＲＡＷ画像格納用メモリ）６に格納する動作と、ＲＡＷ画像データに信号処理を加えて生成した表示画像データを第１のフレームメモリ（表示画像格納用メモリ）５に格納する動作との遅延時間が常に合致していて並列動作可能なため、ＲＡＷ画像データを不揮発性メモリ９に記録する処理を行う場合でも、双方のフレームメモリでの処理を同一制御タイミングで行う事が可能となり、制御を単純化できるという効果がある。
【００１５】
また、不揮発性メモリ９に記録されたＲＡＷ画像データを再生画像として表示デバイス上に表示する場合、第４のフレームメモリ（ＲＡＷ画再生用メモリ）１２と、第２の信号処理部（再生画像生成用）１３と、第５のフレームメモリ（再生画像格納用メモリ）１４とを用いて表示できるように構成したので、不揮発性メモリ９への画像データ記録を、容量の大きな表示画像データでなく、容量の小さなＲＡＷ画像データと、再生信号処理用パラメータだけに限定することができ、不揮発性メモリ９への画像記録効率を向上させることができるという効果がある。
【００１６】
図２に、再生画像を表示する場合のフローチャートを示し、以後フローチャートに沿って再生画像表示する場合の動作について説明する。外部操作手段１１から再生画像表示指示を受けた場合（ステップＳ１）、不揮発性メモリ９に記録されたＲＡＷ画像データ、及びＲＡＷ画像データと一対となった信号処理パラメータは読み出されて、夫々、第４のフレームメモリ（ＲＡＷ画像再生用メモリ）１２、及び第３のメモリ７に格納（ステップＳ２）される。
【００１７】
その後、第３のメモリ７に格納された信号処理パラメータは、マイコン１０により読み出されて第２の信号処理部１３に設定され（ステップＳ３）、第４のフレームメモリ１２から読み出されるＲＡＷ画像データより再生画像データが生成され、第５のフレームメモリ（再生画像格納用メモリ）１４に格納される（ステップＳ４）。第５のフレームメモリ１４に格納された再生画像データは、再度読み出されて後段の表示画像切替手段１５に送られて、ここで表示部８への出力画像が選択され（ステップＳ５）、後段の表示部８に送信されてＬＣＤ等の表示デバイス上に表示される（ステップＳ６）。
【００１８】
さらに、表示デバイス上に表示された再生画像に対してユーザーが画質評価を行い（ステップＳ７）、その結果、信号処理パラメータの変更を希望する場合には、操作手段１１からユーザーによる再生画像データの信号処理パラメータ変更指示が行われる（ステップＳ８）。この時、マイコン１０は第２の信号処理部１３に設定する信号処理パラメータの変更を行い（ステップＳ９）、第４のフレームメモリ１２より読み出されるＲＡＷ画像データから、変更されたパラメータを用いて再生画像データが生成され（ステップＳ３）、第５のフレームメモリ１４に格納される（ステップＳ４）。第５のフレームメモリ１４に格納された再生画像データは、再度読み出されて後段の表示画像切替手段１５に送られて、ここで表示部８への出力画像が選択されて（ステップＳ５）、後段の表示部８に送信されてＬＣＤ等の表示デバイス上に表示される（ステップＳ６）。以上の動作フローによって再生画像表示を完了する（ステップＳ１０）。
【００１９】
上述のように、第２の信号処理部（再生画像生成用）１３にて、不揮発性メモリ９から取り出した信号処理パラメータを、ユーザーの好みに合わせて変更可能とし、変更された信号処理パラメータによって再生画像を生成できるように構成したので、ユーザーは再生画像を見ながら信号処理のパラメータを任意に変更できるという効果がある。
【００２０】
また、ユーザーからの指示に応じて、表示画切替手段１５にて第１のフレームメモリより出力されるリアルタイムに撮像された表示画像データと、第５のフレームメモリより出力される再生画像データの切り替えを行い（ステップ５）、表示部に出力する画像データを任意に切り替えて出力する。
【００２１】
上述のように、第１のフレームメモリ（表示画像格納用メモリ）５に格納されたリアルタイムの表示画像と、第５のフレームメモリ（再生画像格納用メモリ）１４に格納された再生画像とを切り替える切替手段１５を、表示部８の直前に配置したので、リアルタイムに撮像された表示画像と、不揮発性メモリに記録された再生画像を、ユーザーの意のままに瞬時に切り替えて表示比較できるという効果がある。
【符号の説明】
【００２２】
１  撮像素子、２  Ａ／Ｄ変換器、３  第１の信号処理部、４  遅延調整部、５  第１のフレームメモリ、６  第２のフレームメモリ、７  第３のメモリ、８  表示部、９  不揮発性メモリ、１０  マイコン、１１  外部操作手段、１２  第４のフレームメモリ、１３  第２の信号処理部、１４  第５のフレームメモリ、１５  表示画切替手段。
【図１】
0005470164.tif 000002
【図２】
0005470164.tif 000003